(57)【要約】【課題】周縁を切り離して、その内側に備えたファスナーによって再密封可能とした袋状パッケージにおいて、開封後の二枚の極薄いシートを容易に引き離して、ファスナーを開けるようにする。【解決手段】二枚のシート２・２によって形成した袋本体３の一表面に、ファスナー４よりも周縁側には、袋本体３から除去し易くした除去部５を設ける。除去部５は、ファスナー４をほぼ平行で、ほぼ同じ長さである。除去部５を切除すると、表裏二枚のシート状材料２・２に段差が生じ、一方のシート２を開いた後、他方のシート２の切離し端に指をかけてファスナー４を開けばよい。【選択図】図３
2008094443.tif 000002
【特許請求の範囲】
【請求項１】
シート状材料を方形袋状に成形した袋本体の、その四周縁のうちの一縁部近傍に、再密封可能とするためのファスナーを有している袋状パッケージにおいて、
当該袋本体の一表面であって、ファスナーよりも周縁側には、袋本体から除去し易い除去部を設けたことを特徴とする再密封可能な袋状パッケージ。
【請求項２】
二枚のシート状材料の四周縁を熱溶着して形成した袋本体にあっては、除去部は、ファスナーよりも周縁側であって、熱溶着部分よりもファスナー側に、ファスナーとほぼ平行に設けたことを特徴とする請求項１記載の再密封可能な袋状パッケージ。
【請求項３】
除去部の全長は、ファスナーの全長とほぼ同じであることを特徴とする請求項１記載の再密封可能な袋状パッケージ。
【請求項４】
除去部は、その一部若しくは全長に、その周囲と異なる色を着色したことを特徴とする請求項１記載の再密封可能な袋状パッケージ。
【請求項５】
袋本体の少なくとも一表面側には、ファスナーよりも中央側から、ファスナーを超えて除去部の手前まで接着し、摘持部が除去部よりも更に袋本体の周縁側に突出している把持テープを設けたことを特徴とする請求項１記載の再密封可能な袋状パッケージ。
【発明の詳細な説明】
【技術分野】
【０００１】
この発明は、商品を内側に密封して商店などに陳列しておくための袋状パッケージに関するものであり、特にその一周縁にファスナーを有しており、一度開封した後も再密封可能となる袋状パッケージに関するものである。
【背景技術】
【０００２】
ポリプロピレンなどの合成樹脂製のシート状材料を、その周縁を熱溶着などによって接着して袋状とし、この中に様々な商品を密封して出荷、陳列、販売するための袋状パッケージが広く使用されている。袋が合成樹脂製であると、外気の細菌からも商品を保護できるとともに、湿気による商品の劣化も防ぐことができ、食品などのパッケージとしても広く採用されている。しかしながら、需要者が商品を取り出す場合は、袋の一周縁近くを破くか切断するのであるが、一度袋を開封すると、それまでの密封状態の効果は全く損なわれてしまう。しかし内容物が海苔などの食品のように外気の湿気などを避けたいものの場合に、商品を一度全部取り出して密封可能な容器などに移すのは極めて面倒である。
【０００３】
このような不便を解消するために、袋状パッケージの中には、四周のうち一周縁近傍に二枚のシートの間に噛み合せ可能なファスナーを設けたものがある。需要者には、開封時にファスナーと平行に、ファスナーと周縁部との間を切断してもらい、一度商品を取り出した後も、切断部分より内側にあるファスナーによって封ずるのが可能となるものである。ファスナーによって封をしておけば、外気との接触を避けることが可能となり、商品の劣化を極力抑えることができることとなる。
【０００４】
このような商品で課題となるのは、需要者がパッケージの周縁を切断した後に、ファスナーを開く際の手間である。パッケージは極薄いフィルム状の合成樹脂製のシートから成っているため、表側と裏側の二枚のシートが重なっていても厚みがほとんどない。つまりは二枚であっても一枚のシートと感覚的に変らないほど薄く、この表裏二枚のシートの端部がぴったりと重なって見分けがつかない切り口部分で、指先の感覚を頼りに引き離してファスナーの咬み合わせを外すのは容易でない。特に高齢者などの指先の自由が利かない細かい作業の苦手な人や、視力の衰えた人たちにとっては、極めて細かい作業と言える二枚のフィルムの引き剥がしは、至難を極めている。
【０００５】
市場では、一縁部にファスナーが設けられた密封可能な袋状パッケージそのものも販売されている。その中には、ファスナーより突出した部分の表裏二面に最初から突出長さに違いが設けられ、この違いを利用して両手でシートをそれぞれ摘むことが容易となり、開封がし易いよう形成されているものある。しかし、これらは購入したあと、購入者が中に食品などを入れて保存のために使用するものであって、最初から商品包装のためのパッケージとして使用されているわけではない。お茶や食品などは、商店に陳列されているときに開封されていたり、少しでも外気に触れるようになっていることは好ましくない。これらは必ず内部に密封しておくことが必要で、上記したように、購入者によってファスナーよりも周縁側を切断して開封してもらうこととなるため、先に述べた課題が生じていたというのが実情であった。
【特許文献１】実開平７−４４７２９号公報
【特許文献２】特開２００３−１９１９６８号公報
【発明の開示】
【発明が解決しようとする課題】
【０００６】
この発明が解決しようとする課題は、ファスナーを備える袋状パッケージの、それよりも周縁側の切断部分での再開封作業を容易にすることである。
【課題を解決するための手段】
【０００７】
この発明は、袋の切断部を開き易くするために、袋状パッケージの少なくとも一表面に、袋本体から除去し易くした除去を設けるものである。
【０００８】
袋状パッケージは、例えばポリプロピレン、ポリエチレンやナイロンなどの合成樹脂製の方形の二枚のシート状材料を、その周縁を熱溶着などにより接着して袋本体として形成してある。この袋本体の内側には、四周のうち一縁部近くに、その辺と平行にファスナーが取付けられている。ファスナーは、二枚のシートの向き合う面に互いに咬み合うファスナーテープがそれぞれ一体に溶着され、それらふたつによって構成されている。
【０００９】
袋本体の表裏二枚のシートの一表面に、前記ファスナーよりも周縁側には、袋本体から除去し易くした除去部を設けてある。切除し易くするとは、例えばシート材料表面に極浅い溝状のスリットを平行に二本刻設しておき、引張ったとき、その間の除去部が、その両側部分から引き剥がれるようにする、或いは、合成樹脂製のシート状材料の裏に、帯状のテープを貼付しておき、両側に切り込みを入れた端部を引張ると、帯状のテープと一緒に、表面のシート状材料が帯状に剥ぎ取られて、帯状の除去部となるなどの手段が採用できる。或いは、除去部として、表裏二枚シート状材料の間に、紐状の除去部を挟んで接着しておき、その一部を袋本体の外側に表出しておき、その表出した一部を引いて除去可能とすることも可能である。紐状の除去部が除去される際に、一方側のシート状材料を破いて除去部の左右に切り離すようにするものである。
【００１０】
二枚のシート状材料の四周縁を熱溶着して形成した袋本体にあっては、除去部は、ファスナーよりも周縁側であって、熱容着部分よりもファスナー側に、ファスナーとほぼ平行に設けることが好適である。
【００１１】
除去部の全長は、ファスナーの全長よりも短くてもよいし、ファスナーと同じでも、或いはファスナーを超えて、袋本体の幅方向全長に渡ってもよい。
【００１２】
除去部には、その帯部が目立つように、周囲の色と異なる色を着色することも好適である。
【００１３】
袋本体の少なくとも一表面には、ファスナーよりも中央側から、ファスナーを超えて除去部の手前まで接着し、摘持部が除去部よりも更に袋本体の周縁側に突出している把持部を設けることも好適である。
【発明の効果】
【００１４】
この発明にかかる袋状パッケージによって、以下の効果を得ることができる。
（イ）除去が容易な除去部を設けたため、この除去部を除去すれば、袋本体を構成する表裏二枚のシートの一方が、除去部分で切り離されるため、一方側の突出した周縁部分を持って開けば、他方側のシート状材料の切離し部分が突出して、その部分に指をかけて摘み、ファスナーを開封し易くなる。
（ロ）除去部がファスナーの全長とほぼ同じ長さであることにより、除去部を除去した後に出来た切離し部分で表裏二枚のシートを引き離し易くなり、また袋本体の開口も必要充分な大きさとなる。
（ハ）除去部に、その周囲と異なる色を着色することにより、除去部を目立たせて、除去作業を容易にすることができる。
（ニ）袋本体の少なくとも一表面側に、摘持部が除去部よりも突出している把持テープを設けることにより、ファスナーの開封作業が更に容易になる。
【発明を実施するための最良の形態】
【００１５】
この発明は、ファスナーを備える袋状パッケージに、袋本体から切除し易くした除去部を設け、除去した部分で袋本体を構成する二枚のシート状材料に段差を形成することを最も主要な特徴とする。
【実施例１】
【００１６】
図１〜図４に示すのは、この発明にかかる袋状パッケージ１の一実施例であって、合成樹脂フィルムであるシート状材料２の四周縁が、熱溶着によって接着して袋状となって袋本体３が形成されている。この熱溶着した部分Ａは、図１において一点鎖線から周縁までである。図１の袋本体３の天端は、その袋本体３の一周縁近傍に、シート２・２の向き合う面に互いに咬み合うファスナー４が設けられている。袋本体３の内側には、食品などの商品が封入されている。
【００１７】
前記ファスナー４よりも周縁側であって、熱溶着部分Aよりもファスナー４側、つまりはファスナー４と熱溶着部分Aとの間に、ファスナー４と平行に、除去部５が形成されている。除去部５は、シート状材料２の表面に、極浅い溝状スリット１０・１０を二本、平行に刻設して形成したものである。その一端を引張ると、スリット１０・１０の間の除去部５が、その両側から容易に切除されるものである。除去部５の長さは、ファスナー４の長さよりも若干長く、袋本体３の周縁近くまで至っている。除去部５には、それが目立つように、その周囲とは異なる色６を帯部５の外表面側に細長く着色してある。
【００１８】
以上のような袋パッケージ１を開封する場合を説明する。前記したように、除去部５の一端を摘んで引張ると、除去部５はスリット１０・１０によって、その両側から切り離されて、容易に切除できる。除去部５を切除すると、二枚のシート状材料２・２が、その切断部分で切り離され、一方側のシート状材料２切離し端は、その周縁の熱溶着部分Aまで一体となってファスナー４よりも大きく突出し、他方側のシート状材料２の切離し端は、ファスナー４よりも若干突出する程度である。つまりは表裏二枚のシート状材料２・２に、段差が生じることになる。これを図３に示すように、大きく突出したシート状材料２を、ファスナー４が開く側へ引けば、他方側のシート状材料２の切離し端が他方側のシート状材料２から離隔し、ここに指をかけて容易に摘むことが出来、両手でファスナー４を開くことができる。
【実施例２】
【００１９】
図５に示すのは、この発明にかかる袋状パッケージ１の他の実施例である。ファスナー４と平行に一本の溝状スリット１０を刻設しておき、除去部５がそのスリット１０から周縁まで剥がれるようにし、他方のシート状材料２のみ残るようにしたものである。
【実施例３】
【００２０】
図６及び図７に示すのは、袋本体３の表面に、把持テープ７を取付けたものである。把持テープ７は、その基端部分がシート状材料２表面に接着されており、袋本体１のファスナー４よりも中心側から袋本体３の周縁側へ、ファスナー４を越えて、除去部５の手前まで接着している。図で破線で示すのが接着部分９である。その接着部分よりも摘持部８が、除去部５よりも突出している。除去部５を切除した後、この把持テープ７の摘持部８を摘んで引けば、パッケージ１の開封はより容易である。把持テープ７の接着部分９は、ファスナー４を越えて除去部５近くまで至っているため、摘持部８を摘んで把持テープ７を引張ったとき、シート状材料２のファスナー４よりも突出した部分が一緒に引張られて他方のシート状材料２から離隔するよう開くため、ここに指を掛け易くなるためである。
【実施例４】
【００２１】
図８及び図９に示すのは、除去部５として、紐状材料を採用し、これを袋本体の３を構成する二枚のシート状材料２・２の間に挟み込み、シート状材料２と接着するものである。紐状の除去部５の一部は、袋本体３の外に表出させておく。除去部５を除去するのは、袋本体３の外側に突出した紐状除去部５の端部を摘み、これを引く。紐状除去部５が除去されていくとき、シート状材料２が切断され、そこに切離し部分が出来ることになる。
【図面の簡単な説明】
【００２２】
【図１】袋状パッケージの一実施例の正面図である。
【図２】切離し帯部を切除している状態の斜視図である。
【図３】袋本体を開封している状態の斜視図である。
【図４】開封している状態の一部拡大断面図である。
【図５】他の実施例の斜視図である。
【図６】他の実施例の正面図である。
【図７】図６に示す袋状パッケージの開封状態の斜視図である。
【図８】他の実施例の正面図である。
【図９】図８に示す実施例の斜視図である。
【符号の説明】
【００２３】
１  袋状パッケージ
２  シート状材料
３  袋本体
４  ファスナー
５  切離し帯部
６  色
７  把持テープ
８  摘持部
９  接着部分
１０  スリット
【図１】
2008094443.tif 000003
【図２】
2008094443.tif 000004
【図３】
2008094443.tif 000005
【図４】
2008094443.tif 000006
【図５】
2008094443.tif 000007
【図６】
2008094443.tif 000008
【図７】
2008094443.tif 000009
【図８】
2008094443.tif 000010
【図９】
2008094443.tif 000011